Podtech/llm-jp-corpus-v4-ja_patent huggingface dataset:
(57)【要約】【課題】  用紙送り終了時のステッピングモータの励磁パターンによる用紙停止位置と印刷位置ずれを最小限に抑え、印刷品質を向上することである。【解決手段】  複数個の印字素子を搭載したハンマバンクと、ハンマバンクを行方向に往復移動させるためのシャトル機構と、印字用紙を搬送する少なくとも１対のトラクタ、およびトラクタを動作させるステッピングモータと、ステッピングモータの駆動電流を可変することができるステッピングモータ駆動手段とを有するドットプリンタにおいて、用紙送り終了時のステッピングモータの励磁パターンに応じ、用紙送り終了時のステッピングモータの駆動電流を変更し１ドットライン以下の微小量の補正を行ってトラクタ機構部を動作させ、用紙送りを実行することを特徴とする。【選択図】  図１
2007001176.tif 000002
【特許請求の範囲】
【請求項１】
複数個の印字素子を搭載したハンマバンクと、ハンマバンクを行方向に往復移動させるためのシャトル機構と、印字用紙を搬送する少なくとも１対のトラクタ、およびトラクタを動作させるステッピングモータと、ステッピングモータの駆動電流を可変することができるステッピングモータ駆動手段とを有するドットプリンタにおいて、用紙送り終了時のステッピングモータの励磁パターンに応じ、用紙送り終了時のステッピングモータの駆動電流を変更し１ドットライン以下の微小量の補正を行ってトラクタ機構部を動作させ、用紙送りを実行することを特徴とするドットラインプリンタの用紙送り制御方法。
【発明の詳細な説明】
【技術分野】
【０００１】
本発明は、ドットラインプリンタの用紙送り制御方法に関するものである。
【背景技術】
【０００２】
従来のドットラインプリンタにおいては、複数の印字素子を有するハンマバンクを、シャトル機構部により桁方向に往復運動させ、シャトルの往復運動中にハンマを駆動することによりドットマトリクスの形で文字、図形等を印刷用紙に印刷する。印刷用紙はその過程で適時、ステッピングモータを用いた用紙送り機構部により行方向に送られる。この用紙送り時、ステッピングモータを駆動しトラクタを動作させている（例えば、特許文献１参照。）。
【０００３】
従来技術は、用紙の送り量により用紙送り用モータの回転量を決定し、トラクタを駆動している。例えば、紙送り用ステッピングモータの相切り替え１回に付き１ドットライン分のトラクタ駆動となるようトラクタの移動量を設定しておき、印刷に必要な紙送りのドットライン数分の相切り替えを実行している。このとき、用紙送り量によって決定される量だけステッピングモータを駆動し、トラクタ駆動を実行するが、用紙停止時のステッピングモータの励磁パターンにより用紙停止時の動作が異なり、実際の用紙停止位置と印刷位置がずれてしまう。例えば、図３に示すとおり、用紙停止時のステッピングモータの励磁パターンが１相のみ励磁して停止する場合と、２相を励磁して停止する場合とでは用紙送り終了時の用紙停止位置が異なり、印刷品質が低下するという問題がある。図３では、１相励磁で停止する場合は２相励磁で停止する場合よりも用紙の送り量が少なくなる場合を示す。
【０００４】
【特許文献１】特開２００２−２７３９５５号公報
【発明の開示】
【発明が解決しようとする課題】
【０００５】
上記したように、従来技術においては、用紙停止時のステッピングモータの励磁パターンが１相のみ励磁して停止する場合と、２相を励磁して停止する場合とでは用紙送り終了時の用紙停止位置が異なり、印刷品質が低下するという問題がある。
【０００６】
本発明の目的は、実際の用紙停止位置が印刷位置に合うように用紙送りを実行することにより、用紙送り終了時の用紙停止位置ずれを最小限に抑え、印刷品質を向上することである。
【課題を解決するための手段】
【０００７】
上記目的は、用紙送り終了時のステッピングモータの励磁パターンに応じトラクタの動作量を１ドット以下の微少量変更し、用紙の停止位置と印刷位置に合うように用紙送りを実行することにより達成される。
【発明の効果】
【０００８】
本発明によれば、用紙送り終了時のステッピングモータの励磁パターンの違いによる用紙停止位置ずれを防止し、印刷位置ずれを最小限に抑え、印刷品質を向上することができる。
【発明を実施するための最良の形態】
【０００９】
以下、図面を参照して本発明の実施例を説明する。
【実施例１】
【００１０】
図１は、本発明の用紙送り動作と、ステッピングモータの電流波形の一例、図２は、本発明のステッピングモータの駆動回路の一例を示す。
【００１１】
ドットラインプリンタは、シャトルの往復移動によりハンマを移動し、ハンマが印刷区間にあるときにハンマを駆動することにより印刷を実行する。印刷終了後、次の印刷位置まで用紙を送るため用紙送りを実行する。
【００１２】
図１は、前記用紙送り時の用紙の位置と、トラクタを動作させるためのステッピングモータの電流波形である。この例では１２回の励磁相切り替えを行っている。
【００１３】
図２において、印刷制御部１は、プリンタの印刷制御、紙送り制御を行う。ステッピングモータ駆動手段２は、印刷制御部１からの指令により、用紙送り用ステッピングモータ３の駆動を行う。ステッピングモータ駆動手段２は、用紙送り用ステッピングモータ３の駆動相を切り替えることにより用紙送り用ステッピングモータ３を回転させる。また、用紙送り用ステッピングモータ３の各々の相の駆動電流も任意に設定できる回路構成になっている。
【００１４】
図１で、従来技術では用紙送り終了時のステッピングモータの励磁パターンは、／Ａ相のみの１相励磁となるが、図２の印刷制御手段１により用紙送り終了時のステッピングモータの励磁パターンが１相励磁であることを検出した場合は、／Ａ相のみの１相励磁よりも微少量多く用紙を送るステッピングモータの励磁パターン、およびステッピングモータ駆動電流で図２のステッピングモータ駆動手段２で用紙送り用ステッピングモータ３を駆動し、用紙送りを実行する。
【００１５】
このときの用紙送り量が、用紙送り終了時のステッピングモータが２相励磁となる用紙送りと、用紙送り量のずれが小さくなるよう微小送り量を決定しておくことにより印刷品質の低下の防止することができる。
【図面の簡単な説明】
【００１６】
【図１】本発明における用紙送り動作とステッピングモータ電流波形を示す図。
【図２】本発明におけるステッピングモータ駆動回路を示す図。
【図３】従来技術における用紙送り動作とステッピングモータ電流波形を示す図。
【符号の説明】
【００１７】
１は印刷制御手段、２はモータ駆動手段、３は紙送り用ステッピングモータである。
【図１】
2007001176.tif 000003
【図２】
2007001176.tif 000004
【図３】
2007001176.tif 000005
(57)【要約】【課題】  鉛を含まないリン酸−スズ系の封着ガラスを用いて、緻密なガラス層を形成できる封着剤を得ること。【解決手段】  リン酸−スズ系ガラスの粉末と、ペースト化剤としてエチレングリコール、ポリエチレングリコール、グリセリンの中から少なくとも１種類を含むことを特徴とする低融点封着剤である。これらのペースト化剤は、リン酸−スズ系のガラス粉末と混合してペースト状の封着剤とし、これを加熱した場合に緻密なガラス層を形成でき、さらにペースト化剤として適度の粘性を有しており、揮発しにくく適度な粘性を長時間保つことができる。【特許請求の範囲】
【請求項１】
リン酸−スズ系ガラスの粉末と、ペースト化剤としてエチレングリコール、ポリエチレングリコール、グリセリンの中から少なくとも１種類を含むことを特徴とする低融点封着剤。
【発明の詳細な説明】
【技術分野】
【０００１】
本発明は、ガラス部品どうしやガラス部品とセラミックス・合金を接合したり、ガラス・セラミックス・金属を被覆するのに用いる低融点封着剤に関する。
【背景技術】
【０００２】
封着ガラスは低融点であるほど使用に際して便利であり、特に、電子部品に使用する場合は低融点であることが必須であるとされている。従来、低融点の封着ガラスとしては、鉛を多量に含有したガラスが使用されてきた。しかし、鉛は人体及び環境に対して非常に有害であり、鉛を含まない低融点封着ガラスの開発が望まれている。例えば、下記特許文献１には、鉛を含まないリン酸−スズ系ガラスでなる低融点封着ガラスが開示されている。また、鉛の代わりにＴｅＯを配合した低融点ガラスがある。
【０００３】
またリン酸−スズ系ガラスでなる低融点封着ガラスを粉末にし、ペースト化剤と混合してペースト状の封着剤とする場合、ペースト化剤としてはセルロース類およびカルビトール類を単体または組み合わせて使用していた。
【特許文献１】特開平７−６９６７２号公報
【発明の開示】
【発明が解決しようとする課題】
【０００４】
リン酸−スズ系のガラスは鉛を含まずに低融点を実現できる利点があるが、耐水性・耐久性が悪いという欠点がある。しかし、Ｐ２Ｏ５、Ａｌ２Ｏ３及びＳｎＯを適度の割合で配合すると、低融点でありながら耐水性・耐久性に優れた封着ガラスとすることができる。しかし、従来はこのようなリン酸−スズ系ガラスでなる低融点封着ガラスを粉末にし、ペースト化剤を加えてペースト状の封着剤とし、これを封着部分にノズルから押し出すなどして塗布した後加熱して封着する場合に溶融不良が発生し、緻密なガラス層が形成できなくなり、密封が不十分になるという問題があった。本発明は、鉛を含まないリン酸−スズ系の封着ガラスを用いて、緻密なガラス層を形成できる封着剤を開発することを課題としてなされものである。
【課題を解決するための手段】
【０００５】
本発明は、リン酸−スズ系ガラスの粉末と、ペースト化剤としてエチレングリコール、ポリエチレングリコール、グリセリンの中から少なくとも１種類を含むことを特徴とする低融点封着剤である。
【０００６】
本発明において、リン酸−スズ系ガラスとは、Ｐ２Ｏ５とＳｎＯを含み、かつ鉛を含まないガラスである。好ましい組成は、Ｐ２Ｏ５が２６．５〜２７．５mol％、Ａｌ２Ｏ３が１．５〜２．５mol％、ＳｎＯが７０．５〜７１．５mol％である。ガラス粉末の粒径は、３００μｍ以下程度が好適である。
【０００７】
エチレングリコール、ポリエチレングリコール及びグリセリンは、リン酸−スズ系のガラス粉末と混合してペースト状の封着剤とし、これを加熱した場合に緻密なガラス層を形成でき、さらにペースト化剤として適度の粘性を有しており、揮発しにくく適度な粘性を長時間保つという特徴がある。ポリエチレングリコールの分子量は８００以下が好ましい。ポリエチレングリコールの分子量が８００以上になると常温で液状化しなくなり、ペースト化剤として不向きである。ペースト化剤の混合割合は、所望の流動性を実現できるように適宜定めればよいが、一般的には１０〜３０wt％程度が適当である。また、被接合物に対して熱膨張率を合わせる必要がある場合は、適宜、封着剤に低膨張の物質からなるフィラー粉末を混合することができる。
【発明の効果】
【０００８】
本発明の封着剤は、鉛を含有しないので、人体や環境に悪影響を与えることがない。また、加熱した場合に緻密なガラス層を形成でき、封着部分の高度な密封を実現できる。
【発明を実施するための最良の形態】
【０００９】
リン酸−スズ系低融点封着ガラスとペースト化剤(エチレングリコール、ポリエチレングリコール、グリセリン)と必要に応じて膨張率調整用フィラーを混合して、ペースト状にする。このペースト状の封着剤を封着する素材に塗布し、ガラスが軟化する温度で焼成して使用する。焼成中の雰囲気は、ＳｎＯの価数変化を防ぐため、窒素などの不活性気体の雰囲気下で実施することが望ましい。ＳｎＯが酸化してＳｎＯ２になると、ガラスの融点が上昇して好ましくない。
【００１０】
被封着物に対して熱膨張率を合わせるためのフィラー粉末としては、例えばリン酸ジルコニウム系化合物、石英、βユークリプトタイトのような一般に市販されているものを使用することができる。
【実施例】
【００１１】
リン酸二水素アンモニウム、第一酸化スズ、酸化アルミニウムを、Ｐ２Ｏ５が２７．０mol％、ＳｎＯが７１．０mol％、Ａｌ２Ｏ３が２．０mol％となるように混合してルツボに入れ９００℃で溶融し封着ガラスを製作した。この封着ガラスのガラス転移点（Ｔｇ）は２７８．１℃であった。この封着ガラスを粉砕したもの８０重量部に低膨張フィラー（共立マテリアル株式会社製ＺＷＰ）を２０重量部加え、更にペースト化剤としてエチレングリコール、ポリエチレングリコール、グリセリンの中から各１種類を２０重量部加えて３種類のペースト状封着剤を製作した。これらの封着剤をガラス板に塗って４７０℃で加熱し、ガラス層を形成した。これらのガラス層はいずれも滑らかで光沢があり、気泡や微細孔も全くなく、緻密なガラス層であった。
【００１２】
〔比較例〕
実施例のペースト化剤に代え、（イ）エチルセルロース１．８重量部とメチルカルビトール１８．２重量部を混合したもの、（ロ）エチルセルロース１．８重量部を使用し、２種類の封着剤を製作した。これらの封着剤をガラス板に塗って４７０℃で加熱し、ガラス層を形成した。これらのガラス層は溶融不良或いは結晶化をおこしており、表面がゴツゴツして滑らかでなく、光沢もなく、脆いものであった。
(57)【要約】【課題】  従来は専ら貼布方法による膏薬であった。従って、一定の大きさの形紙切りの膏薬で、調剤の延展量も一定量であったため、重い症状、軽い症状による膏量を自分で調整できない不便さがあった。  それを、貼布方法から便利な塗り膏に改善して、自由に膏量を調整できる塗り膏を提供する。【解決手段】  ゲルマニウムとトルマリンを含有している塗り膏で、その機能性のＷ効果を特徴とする。【特許請求の範囲】
【請求項１】
無機ゲルマニウム末とバイオ有機ゲルマニウムエキスを混合させ、これにトルマリン末とを含有していることを特徴とする、バイオゲルマニウム膏製剤。
【請求項２】
バイオゲルマニウム膏には、ワセリンとラノリンを練り合わせていることを特徴とする請求項１に記載のバイオゲルマニウム膏製剤。
【請求項３】
バイオゲルマニウム膏には、ハッカ油とラベンダー油の添加物を含有していることを特徴とする請求項１又は請求項２に記載のバイオゲルマニウム膏製剤。
【請求項４】
バイオゲルマニウム膏製剤には、霊芝エキス又は田七人参やニンニクなどを主体とする天然漢薬植物２０種類以上の原料を酵母菌の発酵により、混合性の抽出生成物エキスを基剤としていることを最大の特徴とする請求項１又は請求項２あるいは請求項３に記載のバイオゲルマニウム膏製剤の製造方法。
【発明の詳細な説明】
【技術の分野】
【０００１】  この発明は、首、肩、腰、ひざ、ひじなど筋肉のこりや痛みを和らげる作用のあるゲルマニウムとトルマリンが放出するマイナスイオンで体内のイオンバランスを整え、体内サイクルを活発、活性化を促すことができる特性を膏に融合した、機能性バイオゲルマニウム膏製剤及ひその製造方法に関するものである。
【背景技術】
【０００２】  従来、公知の貼布方法による膏薬はあるが、塗り膏と貼り膏を併用した塗り貼り膏はない。しかも、薬理性の高いゲルマニウムと癒しをもたらすトルマリンを含有した膏製剤はないこと。
【発明開示】
【発明が解決しようとする課題】
【０００３】  これはつぎのような問題点があった。
従来、一定の大きさの形紙切りの膏薬を患部に貼り付ける、いわゆる貼布方法による膏薬は公知のとおり存在するが、これでは症状に合わせて膏の量を調整することができない不便な場合が多かった。そうしたことで、その治癒力の促進や回復効果と有用性には十分でない欠点があった。
この発明は、以上のような欠点や弱点又は不便さを改良し、様々な症状に適合する有効性の高いものにするためになされたものである。
【課題を解決するための手段】
【０００４】  無機ゲルマニウム粉末とバイオ有機ゲルマニウムエキスである漢薬草液とを混合させた混合性の生成物エキスに、電気石のトルマリン末を含有させ調剤する。
これに、軟膏状の物質であるワセリンと軟膏の基剤である洋毛油脂のラノリンを練り合わせ、更に清涼剤、香料薬用のハッカ油とラベンダー油を添加物とした軟膏を生成する。
以上の構成、含有よりなる、バイオゲルマニウム膏製剤である。
【発明の効果】
【０００５】  ゲルマニウムとトルマリンのＷ効果で体内の血行が促進され、細胞が活性化され細胞内の電流バランスを整え、体内の生体電流を活性化させるため血行がよくなり、筋肉のこりや疲れ、痛みを暖和する。
又、自然治癒力を高め疲労物質の蓄積も抑えられる作用の無機と有機のゲルマニウムを含有した効果は高いものがある。
人により様々な症状に応し、塗り膏の量が調整できて、有効的で便利になった。
この発明のバイオゲルマニウム膏製剤は、今、話題と注目のゲルマニウムを含有している商品てあるから、人々のニーズにも合致しイメージ的にもよく、又、ラベンダーの香りもあって、ＯＡ機器なと長時間される方や、スポーツをされる方など広い層に違和感なく利用できる効果がみられる。
【発明を実施するための最良の形態】
【０００６】  本発明者は、無機ゲルマニウムの本来の特性と、薬理性の高い有機ゲルマニウムを含有した、このバイオゲルマニウム膏製剤と、従来公知のネットネオフィックスとカイロに着目して、これらを同時に併用使用することで効果の改良をはじめたものである。
すなわち、無機ゲルマニウムの作用により、痛みを脳に伝えない効果で、その日その日の痛みをくい止め、同時にトルマリンの作用により体の全身に癒しを与えるため、痛みが消失する。
これは、無機ゲルマニウムとトルマリンの反応により、これらは体内に浸透しないので皮膚に残るため、現在、厚生省が認めているゲルマのメタル的はたらきをする。
そして、有機ゲルマニウムは、皮膚より酸素の効果により、ゆっくりと徐々に浸透していくため、このことにより自然治癒力が高められ、疲労物質の蓄積も抑えられて、人により多少の差はあるが、約１ヶ月位い続けると、各所の痛みは治癒力と回復力が促進され、神経細胞の修復を促し、痛みは完全に改善され悩まされない生活ができるとする発明の実施の態様である。
又、有機ゲルマニウムは、天然植物から抽出しているから皮膚への弊害もなく、従ってかぶれとか、かゆみなどのトラブルもない。
更に、有機ゲルマニウムの多量の含有膏であるため、普通の痛みたけでなく、神経痛、関節炎、五十肩、痛風、関節リウマチなどの痛みに対しても改善効果が得られることも少なくありません。
以下に、この使用方法を詳述する。
ゲルマニウム＋トルマリン膏のバイオ技術により製剤された、この塗り膏を、毎夜、できれば風呂上がりに首、肩、腰、関節、筋肉、神経など痛い患部に、様々な自分の症状に合わせ充分に塗り込み、そして、下着が汚れないように塗り膏の面に、公知のネットネオフィックスを貼る。こうして、衣類の上から公知のカイロを貼り置きします。
これは、体の接触面の温度が３２℃以上になると反応するためによるものです。
そうして、５時間から８時間位い患部に熱を加えると、無機ゲルマニウムとトルマリンは皮膚上に残り、有機ゲルマニウムは、たちまち膏中の薬液が体内に浸透していくために細胞が活性化され血行がよくなり、上述したように痛みはとれ改善されます。
こうして、その目的を達したのである。
そして、それをバイオＡＳＧ膏と命名した。
その根拠と理由は、つぎの説明のとおりである。
ハイオ〜バイオテクノロジー、バイオアクターの意で、酵素、微生物、動物細胞などがもつ、生化学反応を利用して、物質を生産する装置、技術、太陽の光エネルギー、光合成作用、生物工学的知識を医学に応用する意から。
塗る〜ＡＰＲＬＹ、アプライのＡ
貼る〜ＳＴＩＣＫ、スティックのＳ
ゲルマニウムを含有している意からＧ
膏〜膏薬
この発明は、以上の発明実施の態様である。
(57)【要約】      （修正有）【課題】花粉症に効果があり、化粧水にも使用できる竹酢液の使用方法を提供する。【解決手段】普通は竹酢液を天然水に入れただけのものより、弱酸性水のアストリンゼントに竹酢液を数滴入れ、豚の皮から出来る食用コラーゲンと食用シルクプロテインは、上質な絹に含まれるタンパク質の基となるアミノ酸と、炭酸水素ナトリウムを入れてあり、化粧水に使用しているだけで、花粉症が防げる。【選択図】なし【特許請求の範囲】
【請求項１】
豚の皮から出来る食用コラーゲンは食べられる美容食品を使用する。
【請求項２】
食用シルクプロテイン
上質な絹に含まれるタンパク質の基となるアミノ酸の働きで肌が健康になる。
【請求項３】
食用になる上質の竹酢液は１００％天然成分、無添加。
１８０ｃｃの水に１滴竹酢液を入れて飲用出来る。
【請求項４】
炭酸水素ナトリウムは胃の薬だが風呂に入れれば肌がつるつるになります。
又食器洗いにも使用でき特にガラスのコップはぴかぴかになります。
【請求項５】
弱酸性水アストリンゼント
洗顔に使用出来るものでなければならない。
【発明の詳細な説明】
【技術分野】
【０００１】花粉症に効果あり及び化粧水にも使用出来る。
【背景技術】
【０００２】
【特許文献１】
【特許文献２】
【発明の開示】
【発明が解決しようとする課題】
【０００１】平成１７年は平成１６年より４０倍い以上の花粉が飛散しほとんどの人が花粉症にかかり、何年経っても治らず、花粉症の季節が来るとマスクをしないと外出も出来ないのをみかねて、私が造り使用している化粧水で花粉症に効果が有る事を発見し、皆様に少しでも花粉症で困っている人々に使用して頂きたく発表する次第です。
【課題を解決するための手段】
【０００２】アルカリイオン整水器を使用し、アストリンゼントは吐出管から出る弱酸性水１５０ｃｃを使用し、食用コラーゲン小さじ１／３、食用シルクプロテイン小さじ１／３に炭酸水素ナトリウム胃の薬小さじ１／６を入れ上質食用の竹酢液を９滴入れ良くかくはんし、化粧水として顔から首手足にもよくつけるだけで良い。
【発明の効果】
【０００３】この化粧水をスプレーに入れて部屋に霧をかければマイナスイオンが充満し健康効果が得られる。室内に入った花粉も飛散しないので花粉症にもならない。
【実施例】鼻が詰まり口呼吸している人に２〜３回顔に化粧水を浸けたら両方詰まっていたのが、みている間に鼻が通りすっきりして鼻呼吸が出来る様になった。
つけてすぐなので即効果が有り本人もびっくりしていたので１日５〜６回つければ必ず良くなると確信した。尚花粉症が完全に治るまで続ける事を希望する。
この人は眼科に通院していた。
他の人にも化粧水を分けてあげたら、花粉症にも効果が有ったと報告がきた。
(57)【要約】      （修正有）【課題】屋外の水道栓が凍結することを防ぐ装置を安価に提供することを課題とする。【解決手段】以上の課題を解決するために、第一発明は、水道栓４上部のハンドル３を取り付けるねじ山を活用し、発泡スチロール２の箱を再利用した保温材を固定し水道栓４が凍結しない装置である。  再利用した発泡スチロール２の箱に装置が通る穴を開け、水道栓４に被せた後、装置を上部より通し、水道栓４上部のねじ山に固定する。第二発明は、専用の発泡スチロール製カバーを製作する。第三発明は、第一発明で生じた水道栓カバー内部の空間に、市販されているサーモスタット付き凍結防止ヒーターを設置し、寒冷地での凍結も防ぐものである。【選択図】図１
2007197919.tif 000002
【特許請求の範囲】
【請求項１】
水道栓上部のハンドルを取り付けるねじ山を活用し、水道栓が凍結しないための保温材を固定する装置。
【請求項２】
請求項１活用する水道栓カバーに適した専用の発泡スチロールカバーを提供する。
【請求項３】
水道栓カバーに開閉可能な扉を付けることにより、装置を取り外すことなく水道栓が使用出来る。
【請求項４】
水道栓カバー内部に、サーモスタット付きヒーターを設置したもの。
【請求項５】
様々な、ねじ山に対応した請求項１の取り付け装置。
【発明の詳細な説明】
【技術分野】
【０００１】
この発明は、水道栓が冬期に凍結することを防ぐ装置に関する。
【背景技術】
【０００２】
従来からある水道栓の凍結防止方法には不凍水栓がある。
【発明の開示】
【発明が解決しようとする課題】
【０００３】
主に屋外に設置した水道栓は冬期に凍結することを防ぐため、保温材を巻きつけることが多いが、水道栓は独立で突出している形状が大部分のため、支えられる部分がなく保温材を巻きつけるのが困難、水道栓使用時の取り外し、再巻きつけも手間がかかる。保温材を単に装着した外観も好ましくない。又、従来からある水道栓凍結防止方法である不凍水栓は有用だが費用が嵩む欠点がある。  そこでこの発明は、主に屋外の水道栓が凍結することを防ぐ装置を安価に提供することを課題とする。
【課題を解決するための手段】
【０００４】
以上の課題を解決するために、第一発明は、水道栓上部のハンドルを取り付けるねじ山を活用し、発泡スチロールの箱を再利用した保温材を固定し水道栓が凍結しない装置である。  再利用した発泡スチロールの箱に装置が通る穴を開け、水道栓に被せた後、装置を上部より通し、水道栓上部のねじ山に固定する。第二発明は、専用の発泡スチロール製保温カバーを製作する。第三発明は、第一発明で生じた水道栓カバー内部の空間に、市販されているサーモスタット付き凍結防止ヒーターを設置し、寒冷地での凍結も防ぐものである。
【発明の効果】
【０００５】
第一発明、または第二発明によれば、容易に水道栓の凍結を防ぐことが出来る。ネジを回して装置を外すだけで直に水道が使用出来、水道の使用が終われば、簡単に凍結防止装置を取り付けることが出来る。発泡スチロールの箱を再利用するため安価に凍結防止装置を取り付けることが出来る。
【発明を実施するための最良の形態】
【０００６】
この発明の一実施形態を、図１に示す。
保温材を固定する装置は強化プラスチック等の熱を伝えない材質を使用するので、水道栓に冷気が伝わり難い。第一発明の装置のねじ山はウィット並目インチねじＷ３／１６直径４．７６である。  
【０００７】
「実施形態の効果」
発泡スチロールの箱を保温材として再利用するため、安価で交換も容易である。  この実施形態によれば、大体の水道栓に保温材を取り付けることが可能である。保温材を固定する装置は強化プラスチック等の軽量な材質のため、周囲の発泡スチロールを含めた重量が、１２０ｇ以下となり、３００ｇ以上の重さがある浄水器と比べても、水道栓に与える重量付加が少ない。サーモスタット付きヒーターは冷気の当たらない栓カバー内部に設置するので電気が節約出来る。
【０００８】
「他の実施形態」
装置の胴部分に目盛を施す。断熱効果があれば、発泡スチロール以外の水道栓カバーも可能である。装置先端の取り付けねじ部分を、金属製としたもの。
【図面の簡単な説明】
【０００９】
【図１】この発明の一実施形態を示す斜視図である。
【図２】発明の側面図
【図３】この発明の一実施形態を示す側面図である。
【符号の説明】
【００１０】
「図１」における符号
１  固定装置                            ２  発泡スチロール（ふたを外した所）
３  水道栓ハンドル                      ４  水道栓
５  水道栓支柱                                
「図２」における符号
１  水道栓との固定ネジ                  ２  固定装置  
３  握り部分                            ４  目盛
「図３」における符号
１  固定装置                            ２  発泡スチロール（ふたを外した所）
３  水道栓ハンドル                      ４  水道栓
５  水道栓支柱                                
【図１】
2007197919.tif 000003
【図２】
2007197919.tif 000004
【図３】
2007197919.tif 000005
(57)【要約】      （修正有）【課題】廊下、階段、浴室等に取り付けられる手摺に関し、暗闇において視認性を高めるとともに、且つ濡れた手で掴んだ場合でも滑り難い手摺を提供する。【解決手段】断面円形状もしくは楕円形状の、パイプあるいは柱状の棒からなる芯材１０の外周に、シリコンゴム部材２０が被覆されてなる手摺１であって、前記シリコンゴム部材２０には、蓄光剤が練り込まれてなる。【選択図】  図１
2007197988.tif 000002
【特許請求の範囲】
【請求項１】
芯材の外周にシリコンゴム部材が被覆されてなる手摺であって、
前記シリコンゴム部材には、蓄光剤が練り込まれてなる手摺。
【発明の詳細な説明】
【技術分野】
【０００１】
本発明は、手摺に関し、詳しくは、廊下、階段、浴室等に取り付けらる手摺に関する。
【背景技術】
【０００２】
この種の手摺として、例えば、特許文献１または特許文献２に記す技術が既に知られている。特許文献１に記す技術では、芯材の外周にゴム部材が被覆された手摺が開示されている。このようにゴム部材によって被覆されていると、手摺を掴んだときの感触が良く、例えば浴室などにおいて、濡れた手で手摺を掴んだ場合でも滑り難いものとなっている。また、特許文献２に記す技術では、芯材の外周に合成樹脂が被覆された手摺が開示されている。そして、この合成樹脂には、成形時に予め蓄光剤が混入されている。このように蓄光剤が混入された合成樹脂によって被覆されていると、暗闇において、発光するため手摺が視認され易くなっていた。
【特許文献１】特開平８−２６０６４４号公報
【特許文献２】特開２００４−３１４４８７号公報
【発明の開示】
【発明が解決しようとする課題】
【０００３】
しかしながら、上述した特許文献１では、暗闇において、発光しないため手摺が視認されることなく、例えば停電時の安全性に欠けるものであった。また、上述した特許文献２では、合成樹脂によって被覆されているため、手摺を掴んだときの感触が悪く、また浴室などにおいて、濡れた手で手摺を掴んだ場合には滑り易いものとなっていた。
【０００４】
本発明は、このような課題を解決しようとするもので、その目的は、暗闇において視認性を高めるとともに、且つ濡れた手で掴んだ場合でも滑り難い手摺を提供することを課題とする。
【課題を解決するための手段】
【０００５】
本発明は、上記の目的を達成するためのものであって、以下のように構成されている。
請求項１に記載の発明は、芯材の外周にシリコンゴム部材が被覆されてなる手摺である。そして、前記シリコンゴム部材には、蓄光剤が練り込まれている。
これにより、暗闇において手摺の視認性を高めることができる。さらに、且つ濡れた手で手摺を掴んだ場合でも、外周面がシリコンゴム部材によって被覆されているため、滑り難くなっている。
【発明を実施するための最良の形態】
【０００６】
以下、本発明を実施するための最良の形態を、図１〜２を用いて説明する。
図１は、本発明の手摺１の全体斜視図であり、シリコンゴム部材２０の一部を切り欠いた状態である。図２は、本発明の手摺１の製造方法を示す説明図である。
【０００７】
本発明の手摺１は、図１に示すように、芯材１０の外周にシリコンゴム部材２０が被覆されてなるものである。この芯材１０は、断面円形状もしくは、断面楕円形状のパイプからるものであり、例えばアルミ製パイプである。
【０００８】
シリコンゴム部材２０は、円筒形状となるように予め形成されている。また、シリコンゴム部材２０には、形成時において、蓄光剤が練り込まれている。この蓄光剤とは、例えば根元特殊化学株式会社製のＮ夜光（ルミノーバ）であり、シリコンゴム部材２０は、この蓄光剤を、シリコンゴム１００に対して１５％練り込んで成されているものである。
【０００９】
次に、これら上述した芯材１０とシリコンゴム部材２０とから手摺１を製造する方法を説明する。図２（Ａ）に示すように、シリコンゴム部材２０の一端（図において、右端）と圧縮エアー吹出装置４０のホース４２の先端とを接続する。このホース４２からは圧縮エアーが吹き出されるため、シリコンゴム部材２０とホース４２との接続部位から圧縮エアーが漏れることの無いようにして接続する。
【００１０】
続いて、図２（Ｂ）に示すように、圧縮エアー吹出装置４０から圧縮エアーを吹き出させる。このように圧縮エアーを吹き出させると、シリコンゴム部材２０の内部は膨らみ状態となり、その他端（図において、左端）から圧縮エアーが吹き出ていく。そして、この状態において、図２（Ｃ）に示すように、シリコンゴム部材２０の他端から芯材１０を押し込んでいく。このとき、芯材１０の外周面にはシリコン水溶液（例えば、水：シリコン液＝８：２）を塗布しておく。すると、このシリコン水溶液によって、芯材１０の外周面とシリコンゴム部材２０の内周面とに生じる摩擦力が低減され、シリコンゴム部材２０の内部へ滑らかに芯材１０を押し込むことができる。
【００１１】
図２（Ｄ）に示すように、芯材１０をシリコンゴム部材２０の内部へ全て押し込み乾かして、その両端に略Ｌ字形状からなるカバー部材３０を嵌め込ませる。ここで、シリコンゴム部材２０は酸素透過性であるため、シリコン水溶液は比較的短時間で蒸発することになる。なお、芯材１０の外径は、シリコンゴム部材２０の内径と同径、もしくは若干、芯材１０の外形の方が大きくなるように設定されている。
【００１２】
これにより、シリコン水溶液が蒸発してしまうと、芯材１０シリコンゴム部材２０とは一体に固着されるため、手摺１を掴んだ際に、シリコンゴム部材２０が芯材１０に対して滑ったり、回転したりすることはない。そして、図１に示すように、ネジ部材３４によるネジ締めによって、カバー部材３０をシリコンゴム部材２０に固定させて手摺１が完成する。完成した手摺１は、カバー部材３０のフランジ３２を廊下、階段、浴室等の壁部材（図示しない）と固着させて使用される。
【００１３】
上記構成の手摺１を使用すると、シリコンゴム部材２０には蓄光剤が練り込まれているため、暗闇において手摺の視認性を高めることができる。さらに、且つ濡れた手で手摺１を掴んだ場合でも、外周面がシリコンゴム部材２０によって被覆されているため、滑り難くなっている。
【００１４】
上述した内容は、あくまでも本発明の一実施の形態に関するものであって、本発明が上記内容に限定されることを意味するものではない。
実施例では、芯材１０は、断面円形状もしくは、断面楕円形状のパイプである例を説明した。しかし、これに限定されるものでなく、断面円形状もしくは、断面楕円形状の柱状の棒であっても構わない。手摺としての強度を有する部材であれば、材質は限定されることはない。
【図面の簡単な説明】
【００１５】
【図１】図１は、本発明の手摺１の全体斜視図であり、シリコンゴム部材２０の一部を切り欠いた状態である。
【図２】図２は、本発明の手摺１の製造方法を示す説明図である。
【符号の説明】
【００１６】
１      手摺
１０    芯材
２０    シリコンゴム部材
３０    カバー部材
３２    フランジ
３４    ネジ部材
４０    圧縮エアー吹出装置
４２    ホース
【図１】
2007197988.tif 000003
【図２】
2007197988.tif 000004
(57)【要約】【課題】  従来の回転扉は六本木ヒルズの例にあるとおり、子供が挟まれて死亡するなど危険であり（図１）、又図２の如きオートロック方式は後続者が侵入出来、防犯上安全でなく、又、風防作用もない。【解決手段】    二重扉とし、最初の扉が閉まらない限り二番目の扉が開かないようにし、且つ、前記２枚の扉の間の空間を一人程度が入れる空間とし、侵入者を排除する。【選択図】図３
2007197926.tif 000002
【特許請求の範囲】
【請求項１】
扉を複数設け、一枚目の扉をロック開錠できるようにし、１枚目の扉と2枚目の扉を連動させ、1枚目の扉が開いている間、2枚目の扉は開かないようにし、1枚目の扉が完全に閉まった時、2枚目の扉を開けるようにし、且つ1枚目と２枚目の扉の間の空間を所定人数が入れる空間に限定することを特徴とする安全扉。
【発明の詳細な説明】
【技術分野】
【０００１】
本発明は、出入り口扉に関するものである。
【背景技術】
【０００２】
従来は第1図に示す如く回転扉方式、又は第2図に示す如くスライド方式がある。
【発明の開示】
【発明が解決しようとする課題】
【０００３】
図１の如き従来の回転扉は六本木ヒルズの例にあるとおり、子供が挟まれて死亡するなど危険であり、又図２の如きオートロック方式は後続者が侵入出来、防犯上安全でなく、又、風防作用もないので空調ロスが多い。
【課題を解決するための手段】
【０００４】
二重扉とし、最初の扉が閉まらない限り二番目の扉が開かないようにし、且つ、前記２枚の扉の間の空間を一人程度が入れる空間とする。
【発明の効果】
【０００５】
従来のオートロック式では追随侵入者防止が不可能だったが、この追跡泥棒侵入を防止し、風防作用があり、且つ挟まれることなく安全でローコストである上、脱出は迅速に出来る。
【発明を実施するための最良の形態】
【０００６】
図３に示す如く二重扉を設け、2枚の扉を連動させ、前記2枚の扉の空間をほぼ一人程度入る空間にする。
【実施例１】
【０００７】
図１は公知の回転扉を示し、パーティション1の一部に円筒形ガラス２を設け、前記円筒形ガラスの中心３に回転軸とモーターを設け、この回転軸を中心にモーター３で回転するガラスドア４を設けたものであるが、六本木ヒルズなどで、入る人５が転扉４に挟まれて死亡するなど事故が各地で多発しているので、危険である。また、オートロック式に出来ない上、回転扉内に複数人が入れるので防犯上も危険である。
【０００８】
図２も公知のオートロックドアを示し、パーティション１にスライド式ドア６を設け、暗証番号ボタン７を押すことにより特定登録者８が入ることが出来るが、ドア６が開いている間に不特定の他人９が登録者８についてゆけばドア６が開いているので侵入できる。従って、防犯上無防備となる。又、一枚の扉の開閉なので風防することも出来ず、寒気や暖気が室内１０に入り、空調効果が低下する。
【０００９】
図３は本発明の実施例を示し、壁１の開口部にドア１１及び１２を設け、それぞれヒンジ１３及び１４により支えられ、開閉する。ドア１１とドア１２はそれぞれロック１５及びロック１６により、ロックされている。入り口には暗証番号を押すボタン７があり、特定の人８が暗証番号によりボタン７を押すと第一の扉１１のロック１５がはずれ、第一の扉１１を開けられるので、特定の人８は第一の扉１１と第二の扉の間の空間１７に入ることが出来る。
不特定の人９の人が第一の扉１１が開いている間に入ろうとしても、第一の扉１１と第二の扉１２の空間は一人程度しか入れない狭い空間なので、特定の人８しか入ることしか出来ず、不特定の人９は入るスペースがないので、入れない。例え入ったとしても、特定の人８と不特定の人９が第一の扉１１と第二の扉１２の狭いスペース１７に一緒に入るので、特定の人８が不特定の人９を認識又は問いただし、入らないよう排除することが出来る。第一の扉１１と第二の扉１２の間の空間１７に第二扉用スイッチ１８を設け、空間１７に入った人がスイッチ１８を押すと第二の扉１２のロック１６が外れるので、ドア１２を開けて室内に入ることが出来る。出るときにはロック１６を外して第二の扉１２を開き、ロック１５を外し、第一の扉１１を開き、迅速に外へ出ることが出来る。１９はこれらをコントロールする電気回路である。本発明はこのようになっているので、図２の公知のオートロックの如く不特定の人が侵入することを防止でき、且つ、スペース１７が風防室も兼ねており、１１又は１２のどちらかのどらがしまっているので、寒気や暖気の侵入がないので空調効果が良く、また、ドアは１枚づつ開けるので図１の如くモーター３と回転扉４により人が挟まれる事故が発生しない。
【００１０】
図４は図３における電気回路１９の実施例を示す。これにより電気錠１５は暗証番号により開き、第一の扉が開いている間は第二の扉のロック１６が効き、第一の扉が閉まり、且つ第二の扉スイッチ１８が押された時のみ第二の扉のロック１６が解除される電気回路である。
上記は本発明の一実施例であって例えば第一の扉をスライド式オートロックとしたり、このほか全部のドアをスライド式にしたり、ドアの枚数を２枚以上にしたり、種々の組み合わせや構造や電気回路の変更も考えられるがこれらはいづれも本発明に含まれるものである。
【図面の簡単な説明】
【００１１】
【図１】公知の回転ドア
【図２】公知のスライド式オートロックドア
【図３】本発明安全扉実施例の平面図
【図４】本発明電気回路の実施例
【符号の説明】
【００１２】
１    壁
２    円筒形ガラス
３    回転軸とモーター
４    回転扉
５    入る人
６    スライド式ドア
７    暗礁ボタン
８    登録されて入る人
９    登録されていない人
１０  室内
１１  本発明第一の扉
１２  本発明第二の扉
１３  扉１１のヒンジ
１４  扉１２のヒンジ
１５  扉１１のロック
１６  扉１２のロック
１７  第一の扉１１と第二の扉１２の間の空間
１８  第二の扉用スイッチ
１９  第一と第二の扉をコントロールする電気回路
【図１】
2007197926.tif 000003
【図２】
2007197926.tif 000004
【図３】
2007197926.tif 000005
【図４】
2007197926.tif 000006
(57)【要約】      （修正有）【課題】ガラスびんが割れたことを容易に発見できるシュリンクラベル付きガラスびんにおいて、シュリンクラベルの位置合わせが不要で、シュリンクラベルが流通段階で切断してしまうおそれのないシュリンクラベル付きガラスびんを提供する。【解決手段】ガラスびんの胴部外周に縦溝を複数形成し、該胴部をシュリンクラベルで被覆し、シュリンクラベルの上端を前記縦溝の上端よりも下方とし、シュリンクラベルの下端を前記縦溝の下端よりも上方とし、ガラスびんの胴部に割れが生じた場合、胴部外表面に漏れ出した内溶液がシュリンクラベル下端の縦溝から外部に流れ出るようにする。ラベルに連通孔を設けないので、ラベルの位置合わせが不要で、流通段階で切断してしまうおそれもない。【選択図】図１
2007197013.tif 000002
【特許請求の範囲】
【請求項１】
ガラスびんの胴部外周に縦溝を複数形成し、該胴部をシュリンクラベルで被覆し、シュリンクラベルの上端を前記縦溝の上端よりも下方とし、シュリンクラベルの下端を前記縦溝の下端よりも上方とし、ガラスびんの胴部に割れが生じた場合、胴部外表面に漏れ出した内溶液がシュリンクラベル下端の縦溝から外部に流れ出るようにしたことを特徴とするシュリンクラベル付きガラスびん。
【発明の詳細な説明】
【技術分野】
【０００１】
本発明は、ガラスびんが割れたことを容易に発見できるシュリンクラベル付きガラスびんに関する。
【背景技術】
【０００２】
胴部にシュリンクラベルを被覆したガラスびんは、胴部に割れが発生して内溶液が漏れ出した場合、漏れた液がシュリンクラベルの内側に留まり、発見しにくいという難点がある。びんの割れを容易に発見できるシュリンクラベル付きガラスびんは、例えば下記の特許文献１に開示されている。これは、びん胴部に多数の縦溝を形成しておき、胴部を覆ったシュリンクラベルの縦溝の位置の上下に、縦溝と外部を連通する連通孔を設けたものである。びん割れが発生してびん胴部外面に内溶液が漏れ出すと、その内溶液が上記連通孔からシュリンクラベルの外部に流れ出し、びん割れを発見しやすい構成となっている。
【特許文献１】特開２００５−２３９２４６
【発明の開示】
【発明が解決しようとする課題】
【０００３】
上記従来のシュリンクラベル付きガラスびんは、漏れ出した内溶液が、縦溝と外部を連通する連通孔から外部に出てくる構成であるため、シュリンクラベルに形成した連通孔が確実に全ての縦溝の位置に来るように位置合わせをしなければならず、シュリンクラベルを装着する工程が煩雑になる。連通孔の位置が合っていないものは不良品となり、シュリンクラベルを剥がして再び装着し直さなければならない。連通孔を非常に細かいピッチで設ければ位置合わせは不要となるが、シュリンクラベルの連通孔を設けた部分が脆弱になり、流通過程で切断されてしまい見栄えがきわめて悪くなるという問題がある。
【０００４】
本発明は上記の従来品の問題点を解決し、シュリンクラベルの位置合わせが不要で、しかも、シュリンクラベルが流通段階で切断してしまうおそれのないシュリンクラベル付きガラスびんを開発することを課題とする。
【課題を解決するための手段】
【０００５】
〔請求項１〕
本発明は、ガラスびんの胴部外周に縦溝を複数形成し、該胴部をシュリンクラベルで被覆し、シュリンクラベルの上端を前記縦溝の上端よりも下方とし、シュリンクラベルの下端を前記縦溝の下端よりも上方とし、ガラスびんの胴部に割れが生じた場合、胴部外表面に漏れ出した内溶液がシュリンクラベル下端の縦溝から外部に流れ出るようにしたことを特徴とするシュリンクラベル付きガラスびんである。
【発明の効果】
【０００６】
本発明のガラスびんは、シュリンクラベルの上方及び下方にびん胴部の縦溝が露出しているので、シュリンクラベル上方の縦溝上部から空気がラベル内側に入り、ラベル下端の縦溝下部からスムースに漏れた内溶液が外部に流れ出し、びん割れを発見できる。シュリンクラベルには連通孔を設ける必要がないので位置合わせは全く必要なく、流通段階でシュリンクラベルが切断してしまうおそれもない。
【実施例】
【０００７】
図１は、実施例のシュリンクラベル付きガラスびんの略側面図で、ガラスびん１の胴部外周には、多数の縦溝３を設けている。ガラスびん１の胴部はシュリンクラベル２で被覆し、シュリンクラベル２の上端２ａは縦溝３の上端よりも下方、シュリンクラベル２の下端２ｂは縦溝３の下端よりも上方となっている。
【０００８】
図２は、図１のシュリンクラベル付きガラスびんの胴部の略横断面図である。ガラスびん１の胴部をシュリンクラベル２で被覆すると、縦溝３が、縦方向に連通する、空気及び漏れた内溶液の通路となる。びん割れが生じて内溶液が漏れ出した場合、漏れた内溶液が縦溝３とシュリンクラベル２の隙間の縦方向の通路を通り、シュリンクラベル下端から外部に流れ出すので、びん割れを容易に発見することができる。
【図面の簡単な説明】
【０００９】
【図１】実施例のシュリンクラベル付きガラスびんの側面図である。
【図２】図１の略横断面図である。
【符号の説明】
【００１０】
１  ガラスびん
２  シュリンクラベル
３  縦溝
【図１】
2007197013.tif 000003
【図２】
2007197013.tif 000004
(57)【要約】      （修正有）【課題】輸送用や梱包用等に使われているダンボール箱の遮熱性及び断熱性を高め、新鮮野菜や鮮魚等輸送物の腐食や品質低下を抑え、鮮度保持をしようとする遮熱断熱ダンボール箱を提供する。【解決手段】ダンボールの両外面又は間等に、アルミホイル等輻射熱に対して高反射率の素材を１箇所以上とりつけた遮熱断熱ダンボール箱である。【選択図】図１
2007197086.tif 000002
【特許請求の範囲】
【請求項１】
表のライナー、中芯、裏のライナーで構成された紙製又はプラスチック製等のダンボールの両面又は間に、アルミホイル等輻射熱に対して高反射率の素材を１箇所以上取り付けて形成されたボードによりつくられた遮熱断熱ダンボール箱。
【発明の詳細な説明】
【技術分野】
【０００１】  本発明は、輸送用や梱包用等に使われているダンボール箱の遮熱性及び断熱性を高め、新鮮野菜や鮮魚等輸送物の腐食や品質低下を抑え、鮮度保持をしようとする遮熱断熱ダンボール箱を提供するものである。
【背景技術】
【０００２】  ダンボール箱で、アルミホイル等輻射熱に対して高反射率の素材により遮熱性断熱性を高めた物はない。
【発明の開示】
【発明が解決しようとする課題】
【０００３】  紙は、熱伝導率が小さく断熱性に富む事は知られているが、充分な断熱性を得るためには、ある程度の厚みが必要である。しかし、輸送用や梱包用等を目的とするダンボール箱は、内容積を大きくする必要が有ることや重量を軽くしなければならないため、ダンボールの厚みを極力薄くしている。従って、遮熱断熱性を高める事は難しいという問題があった。又、プラスチック製のダンボールは、熱伝導率も大きく遮熱断熱性に乏しいという問題があった。
本発明は、この問題を解決しようとするものである。
【課題を解決する為の手段】
【０００４】  ダンボールは、表のライナー２、波型をした中芯３、裏のライナー４等の素材で構成されているが、本発明は更にアルミホイル等輻射熱に対して高反射率の素材１を取り付けたボードにより作られたダンボール箱である。アルミホイル等輻射熱に対して高反射率の素材１は、両面からくる輻射熱の大半を侵入面側に反射してしまう。従って、この素材１をダンボールに取り付けることにより、ダンボールを通過する輻射熱は非常に少なくなり、高い遮熱性を得ることが出来る。更に、アルミホイル等輻射熱に対して高反射率の素材１を、空気層が出来るように間をあけて２箇所以上取り付けると、ダンボールを通過する伝導熱も少なくなり、高い断熱性をも得ることが出来る。
以上の様に、遮熱性を高める目的の場合は、アルミホイル等輻射熱に対して高反射率の素材１は１箇所で良く、表のライナー２又は裏のライナー４の外側、或いは間に取り付ければよい。
遮熱性及び断熱性の両方を高める目的の場合は、中芯３と表のライナー２又は裏のライナー４の間および表のライナー２及び裏のライナー４の外側等に、アルミホイル等輻射熱に対して高反射率の素材１を２箇所以上間隔を開けて取り付ける。もちろん、表のライナー及び裏のライナーの両外側にアルミホイル等輻射熱に対して高反射率の素材を取り付けると、最大の効果を得ることが出来る。
ダンボールが５層構造の場合も、同様の考え方で取り付ければよいが、アルミホイル等輻射熱に対して高反射率の素材１の間隔は広い方がより効果的である。
アルミホイル等輻射熱に対して高反射率の素材１は、空気や湿気を全く透さない為、輸送物に新鮮な空気を必要とする場合は、ダンボールに小穴をあけて使用する事も可能である。
【発明の効果】
【０００５】  新鮮野菜や鮮魚等の腐食や品質低下の原因である輻射熱を大半減らす事が出来る為、夏場でも長期に鮮度保持が可能となる。また、アルミホイル等輻射熱に対して高反射率の素材は、低温域の温度も反射してしまうため、輸送物の凍結防止効果もある。
アルミホイル等輻射熱に対して高反射率の素材を２箇所以上取り付けたダンボール箱は、外気の影響を余り受けないので、穀物や野菜を長期に保存する為の定温倉庫の代用としても使用可能である。
又、ダンボール箱の合わせ目等空気の出入りが無い様に同質のテープでシールすると、箱内には湿気が侵入しない為、衣服の保存箱としても利用可能である。
【図面の簡単な説明】
【０００６】
【図１】本発明の実施例を示す断面図。
【図２】本発明の実施例を示す断面図。
【符号の説明】
【０００７】１アルミホイル等
２表のライナー
３中芯
４裏のライナー
【図１】
2007197086.tif 000003
【図２】
2007197086.tif 000004
(57)【要約】【課題】練歯磨きや練ワサビなどのチューブ内に残った中身を無駄なく使用する為の用具を提供する。【解決手段】チューブ本体下部に切り込みを儲け、両手の指で左右又は前後に引っ張りチューブ本体を引き裂き、残っている中身を歯ブラシやスプーン等ですくい無駄なく使用できるようにした用具である。【選択図】図１
2007197083.tif 000002
【特許請求の範囲】
【請求項１】
手で切り裂く為の切り込みを本体下部に設けたことを特徴とするチューブ。
【発明の詳細な説明】
【技術分野】
【０００１】  本発明は、たとえば練り歯磨きや練ワサビ等を入れたチューブに残った中身を無駄なく最後まで使い切ることを目的とするものである。
【背景技術】
【０００２】  従来、チューブに入った歯磨きや練ワサビ等は中身が少なくなり、取り出しにくくなると最後まで使いきらずそのまま捨てていた。
【発明の開示】
【発明が解決しようとする課題】
【０００３】  そのために次のような問題点があった。
従来練り歯磨きや練ワサビ等を使った際、残り少なくなると指などで搾ってチューブ口から搾り出すが中身を最後まで搾り出すことは出来ず、搾り出す為の器具も出ているが、器具を買い求めてまで使用するのは面倒な為、殆どは最後に少し残したまま捨てている。
本発明は、以上の問題点を解決するためになされたものである。
【課題を解決するための手段】
【０００４】  本体下部に指で切り裂くための切れ目を入れ、少しの力で縦に切り裂く事ができるチューブである。
【発明の効果】
【０００５】  （イ）チューブを切り裂くことにより練り歯磨きや練ワサビなど中身を無駄なく最後まで使い切ることができる。
（ロ）チューブを切り裂くことによりチューブ内に残った中身を水洗いで取り除いて不燃物回収に出す事ができる。
【発明を実施するための最良の形態】
【０００６】  以下、本発明の実施の形態を説明する。
チューブ本体（１）の下部（２）に切れ目（３）を設ける。
本発明は、以上の構成によりなっている。
本発明を使用するときは、チューブ下部（２）の切れ目（３）を両手の指で持ち左右、又は前後に引くことによりチューブを縦に切り裂く事ができ、ブラシやスプーンなどにて簡単に残っている中身を全て無駄なく使い切ることができる。
【図面の簡単な説明】
【０００７】
【図１】下部に切れ目を設けたチューブの側面図
【図２】切れ目を入れたチューブ下部の拡大図
【図３】チューブを縦に引き裂いた状態の斜視図
【図４】本発明の使用状態を示した説明図
【符号の説明】
【０００８】      １  チューブ本体
２  本体下部
３  チューブを引き裂くための切れ目
４  チューブの蓋部分
【図１】
2007197083.tif 000003
【図２】
2007197083.tif 000004
【図３】
2007197083.tif 000005
【図４】
2007197083.tif 000006